(57)【要約】【課題】  検索表示における番組検索にかかる操作性の向上を実現する。【解決手段】  本発明のデジタル放送テレビは、複数の番組に関する情報を示す番組表示と、複数の番組の中から特定の放送時間帯かつ特定のジャンルに属する番組を検索するための表示である検索表示３０とを切り替えて表示する表示制御部を備えている。この番組表示は、番組の放送時間帯を示す表示を含んでおり、また、検索表示３０は、検索対象の放送時間帯情報を示す日時識別子４４と検索対象のジャンルを示すジャンル識別子４３とを含んでいる。そして、表示制御部が、検索表示３０に含まれる日時識別子４４を、番組表示の放送時間帯を示す表示の時間軸の方向と一致するように配置し表示する。【選択図】  図１
2006217429.tif 000002
【特許請求の範囲】
【請求項１】
電子番組表情報に基づく複数の番組に関する情報を示す番組表示と、上記複数の番組の中から特定の放送時間帯かつ特定の種類に属する番組を検索するための表示である検索表示とを切り替えて表示させる表示制御手段を備える情報処理装置であって、
上記番組表示は、番組の放送時間帯を示す表示を含んでおり、
上記検索表示は、検索対象の放送時間帯情報を示す識別子である、複数の時間選択画像、および検索対象の種類を示す識別子である、複数の種類選択画像を含んでおり、
上記表示制御手段が、上記検索表示に含まれる時間選択画像を、上記番組表示に含まれる上記放送時間帯を示す表示の時間軸の方向と一致するように配置し表示することを特徴とする情報処理装置。
【請求項２】
上記表示制御手段は、上記検索表示において、上記時間選択画像それぞれが配置される方向と、上記種類選択画像それぞれが配置される方向とが互いに異なるように表示させることを特徴とする請求項１に記載の情報処理装置。
【請求項３】
上記表示制御手段により検索表示を表示させた場合、
上記時間選択画像の選択指示を受付け、該選択指示に応じて、上記複数の時間選択画像の中から特定の時間選択画像を選択する時間選択手段と、
上記種類選択画像の選択指示を受付け、該選択指示に応じて、上記複数の種類選択画像の中から特定の種類選択画像を選択する種類選択手段とを備え、
上記時間選択手段と上記種類選択手段とが同時に、上記選択指示の受付け可能な状態となることを特徴とする請求項１または２に記載の情報処理装置。
【請求項４】
上記時間帯表示に含まれる時間選択画像および上記種類表示に含まれる種類選択画像の選択指示するための入力装置を備え、
上記入力装置が、
上記時間選択画像の配置方向に応じた位置に配され、該時間選択画像の選択指示を行う第１操作部と、
上記種類選択画像の配置方向に応じた位置に配され、該種類選択画像の選択指示を行うための第２操作部とを有していることを特徴とする請求項３に記載の情報処理装置。
【請求項５】
上記表示制御手段が、上記検索手段により検索された番組群の表示を、表示装置の表示領域において表示可能な範囲ごとに分割し、分割した範囲ごとに切り替えて表示させる切替手段を有していることを特徴とする請求項４に記載の情報処理装置。
【請求項６】
上記検索手段によって検索された番組群の中から番組を選択する番組選択手段を備え、
上記表示制御手段が、上記番組選択手段によって選択された番組に関する詳細情報を表示させる詳細表示手段を有していることを特徴とする請求項３〜５のいずれか１項に記載の情報処理装置。
【請求項７】
上記請求項１〜６のいずれか１項に記載の情報処理装置と、
上記番組表示と上記検索表示とを切り替えて表示する表示装置とを備えることを特徴とする電子番組表示装置。
【発明の詳細な説明】
【技術分野】
【０００１】
本発明は、電子番組表情報に基づく複数の番組に関する情報を示す番組表示と、上記複数の番組の中から特定の番組を検索するための表示である検索表示とを切り替えて表示する表示制御手段を備える情報処理装置および電子番組表示装置に関するものである。
【背景技術】
【０００２】
近年、例えば通信衛星等を介して、各家庭においてデジタル放送を受信することができるようになっている。このデジタル放送では、従来のテレビ放送と比較して多くのチャンネルを確保することができるため、多くの番組を放送することができる。
【０００３】
そこで、このような多くの番組の中からユーザが所望する番組を選択できるようにするために、電子番組表（電子番組ガイド(Electronic Program Guide)；以下、適宜「ＥＰＧ」と記す）を利用することが考えられている。すなわち、ＥＰＧに基づき、このＥＰＧに含まれる番組の中から、ユーザが所望する条件に応じた番組を検索することを可能とする表示装置が開発されている。
【０００４】
例えば、特許文献１には、表示装置の表示領域を複数の縦の領域に区分し、その各々の領域に番組のガイドの情報を、その情報の種類ごとに配置した電子番組ガイド表示制御装置が開示されている。
【０００５】
また、特許文献２では、表示画面上に表示されている範疇メニューと項目メニューとに基づき、特定の項目のコンテンツを選択するコンテンツ指定装置が開示されている。なお、この特許文献２に示すコンテンツ指定装置は、多数存在するコンテンツの中から所望のコンテンツを選択するための装置であり、ＥＰＧに含まれる番組の名から、ユーザが所望する条件に応じた番組を検索するものではない。
【特許文献１】特開平９−２８４７３４号公報（１９９７年１０月３１日公開）
【特許文献２】特開平９−２０４２８６号公報（１９９７年８月５日公開）
【発明の開示】
【発明が解決しようとする課題】
【０００６】
しかしながら、上記特許文献１に示す構成では、ユーザが所望する番組を選択する操作が煩雑であるという問題を生じる。具体的には、上記特許文献１に示す構成では、番組の検索表示において、表示領域を複数の縦の領域に区分し、その各々の領域に番組のガイドの情報を、その情報の種類ごとに配置している。このため、検索表示特有の表示配置となっており、他の表示画面との整合性がないため、表示される画面ごとに応じた情報の配置および操作をユーザは記憶しなければならない。
【０００７】
本発明は、上記の問題点に鑑みてなされたものであり、その目的は、検索表示における番組検索にかかる操作性を向上させることができる情報処理装置および電子番組表示装置を実現することにある。
【課題を解決するための手段】
【０００８】
本発明に係る情報処理装置は、上記した課題を解決するために、電子番組表情報に基づく複数の番組に関する情報を示す番組表示と、上記複数の番組の中から特定の放送時間帯かつ特定の種類に属する番組を検索するための表示である検索表示とを切り替えて表示させる表示制御手段を備える情報処理装置であって、上記番組表示は、番組の放送時間帯を示す表示を含んでおり、上記検索表示は、検索対象の放送時間帯情報を示す識別子である、複数の時間選択画像、および検索対象の種類を示す識別子である、複数の種類選択画像を含んでおり、上記表示制御手段が、上記検索表示に含まれる時間選択画像を、上記番組表示に含まれる上記放送時間帯を示す表示の時間軸の方向と一致するように配置し表示することを特徴とする。
【０００９】
なお、上記時間選択画像は、例えば、情報処理装置に表示される文字または図記号など、ユーザがマウスなどの入力装置を使用して指し示すことができるものである。また、種類選択画像は、例えば、情報処理装置に表示される文字または図記号など、ユーザがマウスなどの入力装置を使用して指し示すことができるものである。
【００１０】
上記構成によると、表示制御手段が、上記検索表示における時間選択画像を、上記番組表示における放送時間帯を示す表示の時間軸の方向と一致するように配置し表示させている。
【００１１】
このように、番組表示が含む放送時間帯と同じ時間軸の方向となるように、時間選択画像を配置させることにより、この時間選択画像に対するユーザの視認性を向上させることができる。
【００１２】
すなわち、本発明の情報処理装置を利用するユーザは、上記番組表示を視聴する頻度が高い。そこで、検索表示において、番組の放送時間帯に関する表示と同様な範疇に類別できる時間選択画像それぞれの配置方向を、上記番組表示の放送時間帯を示す表示の時間軸方向に一致させる。
【００１３】
このように、番組表示と検索表示との間において、同様な範疇に類別できる表示の時間軸を一致させることにより、番組表示より視聴頻度が低い検索表示における時間選択画像に対しても、ユーザの認識度を向上させることができる。
【００１４】
したがって、本発明に係る情報処理装置は、上記したように時間選択表示に対する視認性を向上させることができるため、ユーザは所望する番組の検索をスムーズに行うことができる。すなわち、検索表示における番組検索にかかる操作性を向上させることができるという効果を奏する。
【００１５】
また、本発明に係る情報処理装置は上記した構成において、上記表示制御手段は、上記検索表示において、上記時間選択画像それぞれが配置される方向と、上記種類選択画像それぞれが配置される方向とが互いに異なるように表示させるように構成されていることが好ましい。
【００１６】
上記構成によると、上記時間選択画像それぞれが配置される方向と、種類選択画像それぞれが配置される方向とが互いに異なるように表示させることができる。このため、検索表示において、時間選択画像と、種類選択画像との選択方向が異なるものとなる。
【００１７】
したがって、時間選択画像と種類選択画像との選択を混同させることを防ぐことができるため、選択条件の選択に係る操作性を向上させることができる。
【００１８】
特に、同一検索表示において、検索条件として放送時間帯と、番組が属する種類の項目とを選択できる場合、上記のように選択対象となる画像の配置方向を異ならせることにより、該画像の選択の混同防止をより効果的に実現することができる。
【００１９】
また、本発明に係る情報処理装置は、上記した構成において、上記表示制御手段により検索表示を表示させた場合、上記時間選択画像の選択指示を受付け、該選択指示に応じて、上記複数の時間選択画像の中から特定の時間選択画像を選択する時間選択手段と、上記種類選択画像の選択指示を受付け、該選択指示に応じて、上記複数の種類選択画像の中から特定の種類選択画像を選択する種類選択手段とを備え、上記時間選択手段と上記種類選択手段とが同時に、上記選択指示の受付け可能な状態となるように構成されていることが好ましい。
【００２０】
上記構成によると、上記時間選択手段と種類選択手段との両者が、選択指示の受付けに対してともに同時に受付け可能となっている。
【００２１】
このため、時間選択画像の選択指示と種類選択画像の選択指示とを連続的に続けて行うことができる。すなわち、時間選択画像の選択指示と種類選択画像の選択指示とを行う際に表示を切り替えることなく、時間選択画像と種類選択画像を選択することができる。
【００２２】
また、本発明に係る情報処理装置では、検索表示において、時間選択画像または種類選択画像どちらかだけが選択可能な状態とならないため、時間選択画像および種類選択画像を自由に選択することができる。
【００２３】
したがって、本発明に係る情報処理装置は、時間選択画像と種類選択画像と選択処理に係る負担を低減させることができるため、番組の検索にかかる操作性を向上させることができる。
【００２４】
また、本発明に係る情報処理装置は、上記した構成において、上記時間帯表示に含まれる時間選択画像および上記種類表示に含まれる種類選択画像の選択指示するための入力装置を備え、上記入力装置が、上記時間選択画像の配置方向に応じた位置に配され、該時間選択画像の選択指示を行う第１操作部と、上記種類選択画像の配置方向に応じた位置に配され、該種類選択画像の選択指示を行うための第２操作部とを有するように構成されていてもよい。
【００２５】
なお、上記第１操作部が、入力装置において、時間選択画像の配置方向に応じた位置に配されているとは、上記情報処理装置によって表示させられた時間選択画像のユーザから見た配置位置と、ユーザからみた入力装置における第１操作部の配置位置とが対応しているということである。
【００２６】
同様に、第２操作部が、入力装置において、種類選択画像の配置方向に応じた位置に配されているとは、上記情報処理装置によって表示させられた時間選択画像のユーザから見た配置位置と、ユーザからみた入力装置における第２操作部の配置位置とが対応しているということである。
【００２７】
上記構成によると、入力装置が、上記時間選択画像の配置方向に応じた位置に配置された第１操作部と、種類選択画像の配置方向に応じた位置に配置された第２操作部とを有し、時間選択画像および種類選択画像の選択を行うことができる。
【００２８】
すなわち、番組の検索条件となる時間選択画像と種類選択画像とを別々の操作部によって容易に選択することができ、またこれら操作部の配置が、時間選択画像および種類選択画像の配置方向に応じている。
【００２９】
このため、ユーザは、時間選択画像と種類選択画像との選択を上記入力装置を用いて直感的に行うことができる。よって、本発明に係る情報処理装置は、検索表示における番組検索にかかる操作性を向上させることができる。
【００３０】
また、本発明に係る情報処理装置は、上記した構成において、上記表示制御手段が、上記検索手段により検索された番組群の表示を、表示装置の表示領域において表示可能な範囲ごとに分割し、分割した範囲ごとに切り替えて表示させる切替手段を有するように構成されていてもよい。
【００３１】
上記構成によると、上記表示制御手段が、切替手段を有しているため、検索手段によって検索された番組群の表示範囲が、表示領域における表示可能な範囲を越える場合、この番組群の表示を表示可能な範囲ごとに切替て確認することができる。
【００３２】
したがって、検索結果に対するユーザの確認処理をスムーズに行うことでき、番組検索にかかる操作性を向上させることができる。
【００３３】
また、本発明に係る情報処理装置は、上記した構成において、上記検索手段によって検索された番組群の中から番組を選択する番組選択手段を備え、上記表示制御手段が、上記番組選択手段によって選択された番組に関する詳細情報を表示させる詳細表示手段を有するように構成されていてもよい。
【００３４】
上記構成によると、詳細表示手段を備えているため、番組選択手段により選択された番組の詳細表示を行うことができる。
【００３５】
したがって、検索手段により検索された番組群の中から必要とされる番組のみの詳細を表示することができるため、上記番組群の情報は簡単な情報にとどめることができる。したがって、検索手段によって検索された番組群を表示させる、限られた表示領域を有効に活用することができる。
【００３６】
また、本発明に係る電子番組表示装置は、上記した課題を解決するために、上記情報処理装置と、上記番組表示と上記検索表示とを切り替えて表示する表示装置とを備えることを特徴とする。
【００３７】
上記した構成によると、本発明に係る表示装置を備えているため、上記情報処理装置によって表示制御された番組表示または検索表示を表示させることができるという効果を奏する。
【発明の効果】
【００３８】
本発明に係る情報処理装置は、以上のように、電子番組表情報に基づく複数の番組に関する情報を示す番組表示と、上記複数の番組の中から特定の放送時間帯かつ特定の種類に属する番組を検索するための表示である検索表示とを切り替えて表示させる表示制御手段を備える情報処理装置であって、上記番組表示は、番組の放送時間帯を示す表示を含んでおり、上記検索表示は、検索対象の放送時間帯情報を示す識別子である、複数の時間選択画像、および検索対象の種類を示す識別子である、複数の種類選択画像を含んでおり、上記表示制御手段が、上記検索表示に含まれる時間選択画像を、上記番組表示に含まれる上記放送時間帯を示す表示の時間軸の方向と一致するように配置し表示することを特徴とする。
【００３９】
したがって、本発明に係る情報処理装置は、上記したように時間選択表示に対する視認性を向上させることができるため、ユーザは所望する番組の検索をスムーズに行うことができる。すなわち、検索表示における番組検索にかかる操作性を向上させることができるという効果を奏する。
【発明を実施するための最良の形態】
【００４０】
本発明の一実施形態について図１ないし図１４に基づいて説明すると、以下の通りである。
【００４１】
本実施の形態に係るデジタル放送テレビ１００は、デジタル放送受信機能付きテレビであり、コンテンツ（映像情報や音声情報）およびＥＰＧデータ６０を含むデジタル放送波を受信し、受信したコンテンツ（映像情報や音声情報）を出力するものである。また、上記デジタル放送テレビ１００は、受信したＥＰＧデータ６０に基づいてデジタル放送の電子番組表を表示するものでもある。
【００４２】
そして、このデジタル放送テレビ１００は、上記デジタル放送としては、ＢＳデジタル放送、ＣＳデジタル放送、および地上テジタル放送の３種類の放送いずれも受信可能とするものである。
【００４３】
なお、ＢＳデジタル放送とは、ＢＳ（Broadcasting Satellite；放送衛星）を介して受信したテジタル信号により行われる放送である。また、ＣＳデジタル放送とは、ＣＳ（Communication Satellite；通信衛星）を介して受信したテジタル信号により行われる放送である。また、地上デジタル放送とは、地上の電波塔を介して受信したデジタル信号により行われる放送である。
【００４４】
また、上記したこれらのデジタル放送では、現在、テレビ放送、ラジオ放送、データ放送の３種類のサービスが行われている。そして、これら３つのサービスで提供されるコンテンツは、例えば、テレビ放送では映像情報および音声情報であり、ラジオ放送では音声情報であり、データ放送では文字情報である。
【００４５】
本実施の形態に係るデジタル放送テレビ１００は、これら３種類のサービスのいずれにも対応しており、各サービスで提供されるコンテンツを映像および／または音声として出力することができる。なお、サービスの違いは、表示画面の表示レイアウトには関係がないため、以下の説明では、デジタル放送波がテレビ放送のものである場合について説明する。
【００４６】
（デジタル放送テレビの構成）
図２に示すように、本実施形態に係るデジタル放送テレビ１００は、チューナ部２、デマルチプレクサ部３、ＥＰＧデータ記憶部４、表示制御部５、ＥＰＧ画面出力部６、リモートコントローラ（以下、「リモコン」と略記する）受光部７、ＥＰＧ制御部８、画面レイアウト情報記憶部９、スクリーン上に映像を表示する表示部１０、映像・音声デコード部１１、および音声出力部１２を備えている。
【００４７】
上記チューナ部２は、デジタル放送信号を搬送している高周波のデジタル放送波を、放送局から受信するものであり、外部のアンテナ１に接続されている。このチューナ部２は、所望のチャンネルのデジタル放送波に同調することにより、アンテナ１が受信したデジタル放送信号の中から所望のチャンネルのデジタル放送信号を取り出すことができる。そして、このチューナ部２は、取り出したデジタル放送信号をベースバンドのビットストリーム信号に復調する。
【００４８】
なお、上記チューナ部２により復調されるビットストリーム信号は、番組のコンテンツ（映像情報および音声情報）のビットストリーム信号、およびＥＰＧ情報のビットストリーム信号（以下、「ＥＰＧデータ」と称する）などを多重化したものである。
【００４９】
デマルチプレクサ部３は、この多重化されたビットストリーム信号から、ＥＰＧデータ６０を取り出すものである。すなわち、デマルチプレクサ部３は、多重化されたビットストリーム信号を、映像情報のビットストリーム信号、音声情報のビットストリーム信号、ＥＰＧデータ６０それぞれに分離する。そして、デマルチプレクサ部３は、映像情報および音声情報のビットストリーム信号を映像・音声デコード部１１に送り、一方、ＥＰＧデータ６０をＥＰＧデータ記憶部４に記憶させる。なお、ビットストリーム信号に含まれるＥＰＧデータ６０は、テレビ放送の場合、通常、約１週間分（例えば８日間）のＥＰＧ（週間番組表）に関するデータを含んでいる。
【００５０】
上記ＥＰＧデータ記憶部４は、デマルチプレクサ部３で取り出されたＥＰＧデータ６０を記憶するものである。このＥＰＧデータ記憶部４は、読み書き可能な記憶媒体であり、例えば、フラッシュＥＥＰＲＯＭなどの不揮発性ＩＣメモリやハードディスクなどの不揮発性記録媒体によって構成することができる。
【００５１】
画面レイアウト情報記憶部９は、表示部１０において表示される電子番組表の表示（以下番組表示２０と称する）または、該電子番組表に含まれる複数の番組の中から特定の番組を検索するための表示（以下検索表示３０と称する）を行うための画面レイアウト情報６１（後述する図４参照）を記憶するものである。
【００５２】
すなわち、本実施の形態に係るデジタル放送テレビ１００は、異なる表示レイアウトを持つＥＰＧ表示モードとして、番組表示２０および検索表示３０を有している。そして、これらＥＰＧ表示モードを、リモコン２００からの指示に応じて切り替えることができるようになっている。
【００５３】
なお、上記番組表示２０は、ＥＰＧデータ６０（図４参照）に基づき、表示部１０において表示される電子番組表の表示であり、放送局名と放送番組名と放送時間帯との対応関係が取れるように表示されている。この番組表示２０では、現在の時刻が含まれる時間帯の番組を先頭に、これから先の時間帯に放送される番組が６時間分表示されるようになっている。
【００５４】
また、上記検索表示３０は、上記電子番組表からユーザが所望する番組を検索するための表示であり、表示制御部５が、ＥＰＧ制御部８からの指示に応じて、画面レイアウト情報６１に基づき、ＥＰＧ画面出力部６を介して表示部１０に表示させる。
【００５５】
すなわち、ユーザは、特定の番組の予約または放送日時の確認を行うために、電子番組表に含まれる複数の番組の中から、上記特定の番組の検索を行う。そこで、上記検索表示３０は、ユーザによるこの検索処理を実行するために設定された表示である。
【００５６】
上記画面レイアウト情報６１としては、例えば、上記番組表示２０において、チャンネル番号、放送局名、番組名、放送時間帯それぞれの対応関係が取れるように表示配置を行うための情報が挙げられる。
【００５７】
また、検索表示３０において、番組の内容が属する種類（ジャンル）を示すアイコン群（以下ジャンル表示と称する）の配置、ユーザが視聴等所望する番組が放送される時間を含む時間帯を示すアイコン群（以下日時表示と称する）の配置、および検索結果を示す情報の表示位置を規定する情報などが挙げられる。
【００５８】
上記アイコン群とは、表示部１０の表示領域１０ａ上に表示される図記号の集合であって、この各図記号は、特定の機能又はソフトウェア適用業務を選択するために、ユーザが入力装置などを使用して指示することができるものである。
【００５９】
なお、この画面レイアウト情報６１に基づく、番組表示２０および検索表示３０における詳細な画面レイアウトについては後述する。
【００６０】
また、画面レイアウト情報記憶部９は、上記検索表示３０において、ユーザによって現在選択されている検索条件の状態を示す情報である管理情報６２も記憶している。すなわち、本実施の形態に係るデジタル放送テレビ１００では、リモコン２００によって検索する番組の検索条件を変更することができるようになっている。
【００６１】
そこで、現在ユーザによって選択されている検索条件を記録した管理情報６２を保持しておくことにより、現在の検索条件の選択状態を基準に、ユーザがリモコン２００を操作して自由に検索条件を変更させることができる。
【００６２】
なお、上記画面レイアウト情報記憶部９は、例えばフラッシュＥＥＰＲＯＭなどの不揮発性ＩＣメモリやハードディスクなどの不揮発性記録媒体によって構成することができる。
【００６３】
ＥＰＧ制御部８は、デジタル放送テレビ１００が備える各部の各種制御を行うものである。このＥＰＧ制御部８は、例えば、リモコン受光部７を介して受信したリモコン２００からの指示に応じて、ユーザが所望する条件に応じた番組を検索したり、表示画面および表示範囲の切り替えなどを表示制御部５に対して指示したりするものである。
【００６４】
例えば、ＥＰＧ制御部８は、リモコン受光部７から受信した番組表示２０の起動または、検索表示３０への切り替えを指示する指示信号などに基づき、ＥＰＧ表示モードに応じたＥＰＧデータ６０をＥＰＧデータ記憶部４から読み出して表示制御部５に送る。
【００６５】
表示制御部５は、ＥＰＧ制御部８からの指示に応じて、表示部１０の表示領域１０ａにおける番組表示２０または検索表示３０の表示制御をおこなったり、表示領域１０ａの選択表示、カーソル移動などを視覚的に認識できるように表示制御したりするものである。なお、この表示制御部５は、表示部１０での表示処理を、ＥＰＧ画面出力部６を介して行う。なお、上記した選択表示とは、選択されている番組名を表示する領域を、選択されていない番組名を表示する領域とは異なる形態で表示することを指す。
【００６６】
つまり、表示制御部５は、選択されている番組名を表示する領域を、それ以外の領域とは、番組名を示す文字部分を囲む背景部分の色を異なる形態にして表示させるように制御する。上記ＥＰＧ制御部８および表示制御部５の詳細な構成については後述する。
【００６７】
ＥＰＧ画面出力部６は、表示制御部５からの指示に応じて、該表示制御部５から受信した、番組表示２０または検索表示３０を行うための画像信号を出力映像信号として表示部１０に出力するものである。このＥＰＧ画面出力部６は、表示制御部５からの指示に応じて、上記画像信号と、映像情報のビットストリーム信号とを合成して表示部１０に出力する。
【００６８】
例えば、ＥＰＧ画面出力部６は、ユーザがデジタル放送を視聴している状態で番組表示２０または検索表示３０いずれかの表示を行う場合、表示制御部５から送られたＥＰＧ画面の画像信号と、上記映像情報のビットストリーム信号とを合成する。そして、この合成により得られた信号を表示部１０に出力する。
【００６９】
このようにして、本実施の形態に係るデジタル放送テレビ１００では、現在視聴している番組の上に上記番組表示２０を重ねて表示させることができる。
【００７０】
一方、ＥＰＧ画面出力部６は、ユーザがデジタル放送を視聴していない状態で番組表示２０または検索表示３０いずれかを表示させる場合、表示制御部５から受信した番組表示２０または検索表示３０いずれかの画像信号を映像信号として表示部１０に出力する。
【００７１】
また、ＥＰＧ画面出力部６は、番組表示２０および検索表示３０を表示せず通常の映像の視聴のみを行う場合、表示制御部５からの指示に応じて、該表示制御部５から受信した映像情報のビットストリーム信号を表示部１０にそのまま出力する。
【００７２】
映像・音声デコード部１１は、デマルチプレクサ部３から受信した映像情報のビットストリーム信号を、表示部１０で処理可能な形式の映像信号に復号するものである。この映像・音声デコード部１１は、この復号処理として、ＭＰＥＧ(Motion Picture Experts Group)２形式による映像信号の復号処理を行い、この復号処理により得られた映像信号を表示制御部５に送る。
【００７３】
また一方、この映像・音声デコード部１１は、デマルチプレクサ部３から受信した音声情報のビットストリーム信号を、音声出力部１２において処理可能な形式の音声信号に復号する。そしてこの復号した音声信号を音声出力部１２に送信する。
【００７４】
上記音声出力部１２は、映像・音声デコード部１１から送られた音声信号に応じて音声を不図示のスピーカに出力するものである。
【００７５】
リモコン受光部７は、リモコン２００からの操作信号（指示信号）を受信するものである。このリモコン受光部７は受信した操作信号を、ＥＰＧ制御部８に送る。すなわち、本実施の形態に係るデジタル放送テレビ１００は、リモコン２００からの操作信号を受信し、この指示に応じた各種処理を行うことができるように構成されている。
【００７６】
（表示制御部およびＥＰＧ制御部の構成）
ここで、以下において図４を参照して、本実施の形態に係るデジタル放送テレビ１００のＥＰＧ制御部８および表示制御部５の、検索表示３０における表示操作に係る要部構成について説明する。なお、この図４は、検索表示３０における表示操作処理に係る表示制御部５およびＥＰＧ制御部８の要部構成を示す機能ブロックである。
【００７７】
まず、本実施の形態に係るＥＰＧ制御部８は、機能ブロックとして時間選択部５１ａ、種類選択部５１ｂ、検索部５２、切替指示部５３、および特定部５４を備えている。
【００７８】
上記時間選択部５１ａおよび種類選択部５１ｂは、リモコン受光部７を介して受信したユーザからの操作信号に応じて、検索表示３０における検索条件を変更させるものである。
【００７９】
より具体的には、検索表示３０では後述するが、番組内容の種類を示す複数のアイコンであるジャンル識別子４３と、該番組が放送される日時を示す複数のアイコンである日時識別子４４とが表示されている。そして、この検索表示３０において、それぞれいずれの識別子を番組検索の条件として選択するかについて、リモコン２００を操作することで、ユーザが自由に変更することができるように構成されている。
【００８０】
そこで、リモコン受光部７がリモコン２００の左右カーソルキー２０４、２０５からの操作信号を受信した場合、時間選択部５１ａにこの操作信号を送信する。そして、時間選択部５１ａは、この受信した操作信号に基づき、管理情報６２を参照して、ユーザにより選択された日時識別子４４を確認する。そして、時間選択部５１ａは、この確認した結果を検索部５２に送信する。
【００８１】
また、リモコン受光部７がリモコン２００の上下カーソルキー２０３、２０６からの操作信号を受信した場合、種類選択部５１ｂにこの操作信号を送信する。そして、種類選択部５１ｂは、この受信した操作信号に基づき、管理情報６２を参照して、ユーザにより選択された種類識別子４３を確認する。そして、種類選択部５１ｂは、この確認した結果を検索部５２に送信する。
【００８２】
なお、上記時間選択部５１ａおよび種類選択部５１ｂはともに、リモコン２００からの操作信号の受付けに対して有効となっており、ユーザは、日時識別子４４と種類識別子４３との選択をいずれか先に行っても構わない。また、日時識別子４４を選択し、続けて連続的に種類識別子４３を選択することができる。また、種類識別時４３を選択し、続けて連続的に日時識別子４４を選択することもできる。
【００８３】
検索部５２は、時間選択部５１ａまたは種類選択部５１ｂから上記確認結果を受信すると、管理情報６２とＥＰＧデータ６０とを参照し、該ＥＰＧデータ６０からユーザによって選択されている検索条件に応じた番組情報を検索するものである。
【００８４】
この検索部５２は、検索した結果と、時間選択部５１ａまたは種類選択部５１ｂから受信した上記確認結果とを表示制御部５に送信する。
【００８５】
切替指示部５３は、リモコン受光部７を介して受信したユーザからの指示（操作信号）に応じて、検索結果表示領域３３に表示されている検索結果の表示を、この検索結果の続きを示す別表示に切り替えるように表示制御部５に指示するものである。すなわち、本実施の形態に係るデジタル放送テレビ１００では、検索結果表示領域３３において表示可能な検索結果としての番組情報の数が限られている。そこで、検索結果として多数の番組情報の候補が得られた場合、これら番組情報を検索結果表示領域３３に表示可能な範囲で分割し、表示される部分と非表示となる部分を形成する。
【００８６】
上記切替指示部５３は、この表示される部分を非表示とし、非表示である部分を表示させるように、表示の切替を表示制御部５に指示する。
【００８７】
なお、この検索結果表示領域３３とは、後述するが、ユーザによって選択された検索条件に合致する番組に関する情報が表示される領域である。
【００８８】
特定部５４は、リモコン受光部７を介して受信したユーザからの指示（操作信号）に応じて、上記検索結果表示領域３３に表示されている番組情報の中から、ユーザによって選択された番組情報を特定するものである。この特定部５４は、番組情報を特定すると、この特定した番組情報の詳細表示を行うように、表示制御部５に指示する。
【００８９】
一方、本実施の形態に係る表示制御部５は、機能ブロックとして、範囲切替部５５、詳細表示部５６、およびＥＰＧ画面作成部５７を備えている。
【００９０】
上記範囲切替部５５は、上記ＥＰＧ制御部８の切替指示部５３から受信した指示に応じて、現在、検索結果表示領域３３に表示されている検索結果の表示を、この検索結果の続きを示す別表示に切り替えるように制御するものである。
【００９１】
また、上記詳細表示部５６は、上記特定部５４からの指示に応じて、検索結果の中から選択された番組に対応する詳細な表示を、番組詳細表示領域３４に表示させるように制御するものである。
【００９２】
ＥＰＧ画面作成部５７は、ＥＰＧ制御部８からの指示に応じて、画面レイアウト情報６１に基づき、番組表示２０または、検索表示３０用の画像信号を生成し、ＥＰＧ画面出力部６に送信するものである。
【００９３】
また、このＥＰＧ画面作成部５７は、検索部５３からの指示に応じて、リモコン２００からの操作指示に応じたジャンル識別子４３、日時識別子４４、または検索結果表示領域３３における特定の番組情報に対して、選択表示を行うように制御するものでもある。
【００９４】
すなわち、本実施の形態に係るデジタル放送テレビ１００では、リモコン受光部７を介して受信したユーザからの操作信号に基づき、時間選択部５１ａユーザによって選択された日時識別子４４を特定する。または、上記操作信号に基づき、種類選択部５１ｂがジャンル識別子４３を特定する。そして、この特定した情報に基づき、検索部５２が、ユーザが選択した検索条件に合致する番組情報を検索する。そして、この検索結果および、上記時間選択部５１ａまたは種類選択部５１ｂによる特定結果を、ＥＰＧ画面作成部５７に送信し表示部１０に表示するように指示する。
【００９５】
一方、ＥＰＧ画面作成部５７は、検索部５２から受信した上記検索結果および上記特定結果に応じて、画面レイアウト情報６１を参照して、選択されている日時識別子４４およびジャンル識別子４３への選択表示および、検索結果表示領域３３への検索結果の表示を行うための画像信号を作成する。
【００９６】
そして、ＥＰＧ画面作成部５７は作成した画像信号をＥＰＧ画面出力部６に送信する。
【００９７】
また、ＥＰＧ画面出力部６は、この画像信号に基づき、表示部１０に対して出力映像信号を送信し、表示部１０の表示領域１０ａにおいて、ジャンル識別子４３および日時識別子４４に対する選択表示と、検索結果表示領域３３への表示を行う。
【００９８】
また、本実施の形態に係るデジタル放送テレビ１００では、リモコン受光部７を介して受信したユーザからの操作信号に基づき、切替指示部５３が、検索結果表示領域３３の表示の切り替え指示を確認する。そして、切替指示部５３は、範囲切替部５５に対して、検索結果表示領域３３の表示を、現在非表示となっている番組情報に切り替えるよう指示をする。このようにして、上記デジタル放送テレビ１００では、表示し切れなかった検索結果を切り替えて表示させることができる。
【００９９】
また、上記デジタル放送テレビ１００では、ジャンル識別子４３および日時識別子４４を決定した後、リモコン受光部７を介して受信したユーザからの操作信号に基づき、検索結果表示領域３３の番組情報の中から番組情報を特定する。そして、特定部５４は、この特定した結果を詳細表示部５６に送信し、この特定した番組に関する詳細情報を表示するように指示する。
【０１００】
詳細表示部５６は、特定部５４からの指示に応じて、特定された番組情報の詳細表示を作成し、画像信号としてＥＰＧ画面出力部６に送信し、表示部１０の番組詳細表示領域３４に表示させるように指示する。このようにして、特定部５４によって特定された番組の詳細情報を、番組詳細表示領域３４に表示させることができる。
【０１０１】
また、上記したように本実施の形態に係るデジタル放送テレビ１００では、ユーザからの指示がリモコン２００を介して行うようになっている。そこで以下において本実施の形態に係るリモコン２００の構成について図３を参照して説明する。
【０１０２】
（リモコンの構成）
このリモコン２００は、図３に示すように、番組表ボタン２０１、裏番組表ボタン２０２、上カーソルキー２０３、左カーソルキー２０４、右カーソルキー２０５、下カーソルキー２０６、決定ボタン２０７、終了ボタン２０８、青ボタン２０９、赤ボタン２１０、緑ボタン２１１、黄ボタン２１２、および戻るボタン２１３を備えている。
【０１０３】
本実施の形態に係るリモコン２００では、上記各ボタンおよびキーが次のように割り当てられている。すなわち、番組表ボタン２０１は、デジタル放送テレビ１００の表示部１０上に番組表示２０を表示させるためのものであり、裏番組表ボタン２０２は、デジタル放送テレビ１００の表示部１０上に裏番組表を表示させるためのものである。
【０１０４】
また、上カーソルキー２０３は、番組表示２０または検索表示３０上の選択表示を、表示領域１０ａにおける上側（表示領域１０ａにおけるｙ軸に沿った方向であり、かつ下側部から上側部に向かう方向）に移動させるためのものである。なお、上記ｘ軸は、表示部１０が有する表示領域１０ａにおける横軸を示し、ｙ軸は、表示部１０が有する表示領域１０ａにおける縦軸を示すものである。
【０１０５】
左カーソルキー２０４は、番組表示２０または検索表示３０上の選択表示を、表示領域１０ａにおける左側（表示領域１０ａにおけるｘ軸に沿った方向であり、かつ左側部から右側部に向かう方向）に移動させるためのものである。
【０１０６】
一方、右カーソルキー２０５は、番組表示２０または検索表示３０上の選択表示を、表示領域１０ａにおける右側（表示領域１０ａにおけるｘ軸方向に沿った方向であり、かつ左側部から右側部に向かう方向）に移動させるためのものである。
【０１０７】
下カーソルキー２０６は、番組表示２０または検索表示３０上の選択表示を、表示領域１０ａにおける下側（表示領域１０ａにおけるｙ軸に沿った方向であり、かつ上側部から下側部に向かう方向）に移動させるためのものである。
【０１０８】
なお、番組表示２０または検索表示３０上の選択表示とは、例えば、検索表示３０において、検索条件となる日時表示領域３２またはジャンル表示領域３１として複数含まれるアイコン（日時識別子４４またはジャンル識別子４３）のうち、どのアイコンが選択されているかを示すものである。あるいは、番組表示２０において、現在選択している番組を示すものである。
【０１０９】
このように、本実施の形態に係るデジタル放送テレビ１００では、表示部１０の表示領域１０ａにおける方向と、このリモコン２００が備えるカーソルキーが配置されている方向（決定ボタン２０７に位置からみた配置方向）が一致するようになっている。
【０１１０】
また、決定ボタン２０７は、番組表示２０または検索表示３０上で選択表示されている番組（現在選択している番組）を選局あるいは予約するためのものである。終了ボタン２０８は、デジタル放送テレビ１００の表示部１０における表示を終了させるためのものである。
【０１１１】
このようにリモコン２００は、各ボタンに対して予め割り当てられた操作に応じて、各種指示を表す信号（操作信号）をリモコン受光部７へ送るものである。
【０１１２】
ところで、上述したように、本実施の形態に係るデジタル放送テレビ１００は、異なる表示レイアウトを持つＥＰＧ画面のＥＰＧ表示モード（番組表示２０および検索表示３０）を有している。そして、これらＥＰＧ表示モードを、リモコン２００からの指示に応じて切り替えることができるようになっている。
【０１１３】
このＥＰＧ表示モード（番組表示２０）の表示処理および番組表示２０のレイアウトについて、図５および図６を参照して以下に説明する。
【０１１４】
（番組表示）
ここで図６を参照してＥＰＧ表示モードの表示処理を、また、図５を参照して番組表示２０の表示レイアウトについて説明する。この図６は、番組表示２０の表示処理を示すフローチャートである。また、図５は、番組表示２０の表示レイアウトを示す図である。
【０１１５】
まず、ユーザが番組を視聴している状態（以下、「通常視聴状態」と称する）にあるとする。したがって、デジタル放送テレビ１００は、選局中の番組の映像を表示している状態にある。
【０１１６】
すなわち、この通常視聴状態では、デジタル放送信号が、アンテナ１で受信され、チューナ部２でベースバンドのビットストリーム信号に復調される。そして、復調されたビットストリーム信号が、デマルチプレクサ部３にて、映像情報のビットストリーム信号、音声情報のビットストリーム信号、ＥＰＧデータ６０などに分離される。
【０１１７】
映像情報のビットストリーム信号は、映像・音声デコード部１１で復調された後、表示制御部５に送信され、ＥＰＧ画面出力部６を介して表示部１０に出力される。そして、表示部１０において映像が表示される。音声情報のビットストリーム信号は、映像・音声デコード部１１で復調された後、音声出力部１２に送られ、音声として音声出力部１２から出力される。
【０１１８】
一方、ＥＰＧデータ６０は、ＥＰＧデータ記憶部４に格納される。なお、ＥＰＧデータ６０は、常に受信される必要はなく、常時受信していても良いし、所定のタイミングで、例えば、デジタル放送信号の受信を開始した時に受信されても良い。
【０１１９】
図６に示すように、この通常視聴状態では、デジタル放送テレビ１００は、ユーザがリモコン２００の番組表ボタン２０１を押下するまでは、番組表示２０の表示を起動せずに待機する（Ｓ１１のＮＯ）。
【０１２０】
そして、ユーザがリモコン２００の番組表ボタン２０１を押下すると（Ｓ１１のＹＥＳ）、デジタル放送テレビ１００では、リモコン２００からリモコン受光部７が番組表示２０への切り替えを指示する操作信号を受信する。リモコン受光部７は、受信したこの操作信号をＥＰＧ制御部８に送信する。
【０１２１】
ＥＰＧ制御部８は、この操作信号を受信すると、ＥＰＧデータ記憶部４からＥＰＧデータ６０を読み出し、表示制御部５に対して送信するとともに、このＥＰＧデータ６０に基づく番組表示２０の表示を行うように表示制御部５に指示する。
【０１２２】
ＥＰＧ制御部８からの指示に応じて、上記表示制御部５は、画面レイアウト情報記憶部９から画面レイアウト情報６１を読み出す。そして、画面レイアウト情報６１とＥＰＧデータ６０とに基づき、番組表示２０を行うための出力映像信号を生成する。そして、表示制御部５は、生成した出力映像信号を、ＥＰＧ画面出力部６を介して表示部１０に送信する。
【０１２３】
ただし、上記表示制御部５は、番組表示２０を行うための出力映像信号と、映像・音声デコード部１１から受信している映像情報のビットストリームとの両方を、ＥＰＧ画面出力部６を介して表示部１０に送信している。そして、上記映像情報に基づく映像の上に、上記画面表示（番組表示２０）を重ねて表示するように制御している。
【０１２４】
このようにして、本実施の形態に係るデジタル放送テレビ１００は、表示部１０において、映像の表示を、ＥＰＧデータ６０に基づく番組表示２０に切り替える（Ｓ１２）。
【０１２５】
なお、この番組表示２０は、図５に示すように、表示部１０の表示領域１０ａにおいて横軸をｘ軸、縦軸をｙ軸とすると、ｙ軸に所定幅を有し、ｘ軸に略表示領域１０ａ全体に広がる複数の表示範囲（番組詳細表示領域２１、番組プログラム表示領域２２、操作ガイド表示領域２３）を含んでいる。
【０１２６】
上記番組プログラム表示領域２２は、受信中の放送（地上デジタル放送、ＢＳデジタル放送、またはＣＳデジタル放送）に属する、放送中あるいは放送予定の放送番組名を時系列で一覧表示する領域である。本実施例では、時間軸が横軸（ｘ軸）であり、各チャンネルの情報を表示する行が縦（ｙ軸）方向に並んでいる。
【０１２７】
また、上記番組詳細表示領域２１は、上記番組プログラム表示領域２２に表示されている放送番組名のうち選択表示されている放送番組名に対応する番組に関する詳細情報を表示する領域である。この詳細情報には、選択された番組を放送するチャンネルのロゴ、その番組を放送する放送局名、その番組を放送するチャンネル番号、およびその番組のジャンルを示すアイコンを含んでいる。さらに、この詳細情報には、番組プログラム表示部２２に表示されている番組名（途中までの簡易表示）よりも詳細な番組名、および放送時間に関する情報も含む。
【０１２８】
したがって、ユーザが、上記番組詳細表示領域２１に表示される情報を見ることにより、番組プログラム表示領域２２からは読取ることができない有益な情報（詳細な番組タイトル、放送時間、デジタルコピーの可否など）を読取ることができるようになる。
【０１２９】
また、上記操作ガイド表示領域２３は、番組表示２０から検索表示３０への切り替え方法、番組表示２０の停止方法などの説明を表示する領域である。
【０１３０】
また、この操作ガイド表示領域２３は、選んでいるネットワーク（地上デジタル放送、ＢＳデジタル放送、またはＣＳデジタル放送）およびメディア（テレビ放送、ラジオ放送、またはデータ放送）、選んでいる日および曜日、カラーボタン２０９〜２１１（青ボタン２０９、赤ボタン２１０、緑ボタン２１１、黄ボタン２１２）に関する操作方法の情報も含む。
【０１３１】
上記番組表示２０では、ｙ軸方向の幅が、番組プログラム表示領域２２の表示範囲が一番大きくなるように設定されている。また、さらに、この番組プログラム表示領域２２は、表示部１０における表示領域１０ａの略中央付近に配置されるようになっている。
【０１３２】
したがって、本実施の形態に係るデジタル放送テレビ１００では、表示部１０の表示領域１０ａにおけるｘ軸方向と平行となる一方の辺側に、番組詳細表示領域２１が、他方の辺側に操作ガイド表示領域２３が配置されるようになっている。
【０１３３】
本実施例では、表示領域１０ａにおける上方側、すなわち、図１においてｘ軸とｙ軸との原点に近い側に番組詳細表示領域２１が配置されている。また、表示領域１０ａにおける下方側、すなわち、図１において上記原点から遠い側に操作ガイド表示領域２３が配置されている。
【０１３４】
なお、上記番組詳細表示２１のｙ軸方向における幅は、番組詳細表示部２１において、番組に関する詳細な情報が十分に表示できる範囲で定められる。同様に、操作ガイド表示領域２３のｙ軸方向における幅は、現在のＥＰＧ表示モード（番組表示）において操作説明に必要な情報が十分に表示できる範囲で定められる。
【０１３５】
また、番組プログラム表示領域２２の表示レイアウトは、番組プログラム表示領域２２の左側部に図５に示すように放送局名が、ｙ軸方向にそれぞれ表示されている。また、一方、その上部においてｘ軸方向に番組の放送時間帯が表示されている。また、上記放送局名の表示の右横、すなわち、放送局名の表示位置からｘ軸方向に隣接する領域に放送番組名が表示される。そして、上記放送時間帯と放送局名と放送番組名との表示が、それぞれ対応関係が取れるように表示されている。
【０１３６】
また、各放送番組名の前にはその番組のジャンルを示すアイコンが表示されている。また、番組プログラム表示部２２における、各放送局名を表示する領域には、その放送局のロゴ（図１では矩形領域に囲まれたＡ、ＡＥ、Ｂ、・・・など）が表示される。また、各放送局のチャンネル番号、各放送局名、およびこのチャンネルの選択ボタンとして予め登録されているリモコン２００におけるチャンネルボタン番号も表示される。
【０１３７】
また、番組表示２０への切り替え後、表示制御部５は、複数の番組の中で現在選択されている１つの番組に関する番組情報を、表示部１０のスクリーン上方側に配置された番組詳細表示部２１に表示するように制御する（Ｓ１３）。
【０１３８】
つまり、番組表示２０への切り替え時点では、初期値として、現時間帯における特定のテレビ局の番組に関する詳細情報をこの番組詳細表示２１に表示するように表示制御部５では設定されている。
【０１３９】
具体的には、通常視聴状態から表示部１０の表示を行った場合、現在視聴中の番組が選択されるように設定されている。そして、現在選択されている番組名（カーソル位置の番組名）、この番組名に対応する放送時間帯、および、この番組を放送する放送局名が選択表示される。
【０１４０】
また、番組プログラム表示部２２では、ユーザが、上記選択表示させ、詳細情報を表示させる番組名を選択することができるようになっている。すなわち、リモコン２００のカーソルキー２０３〜２０６を用いて、カーソルを所望の番組名の位置に移動させる。このようにして、ユーザは、所望する番組名を選択することができるようになっている。
【０１４１】
以上のように、ＥＰＧ制御部８からの指示に基づく、表示制御部５による制御の結果として、表示部１０において番組表示２０が表示される。
【０１４２】
また、本実施の形態に係るデジタル放送テレビ１００では、番組表示２０における複数の番組の中から視聴したい番組を検索したり、録画予約したい番組を検索したりすることができるようになっている。そして、この検索処理を行うための検索表示３０を表示できるように構成されている。
【０１４３】
以下において、図１および図７〜図１４を参照して、番組表示２０から検索表示３０への切り替え処理および、該検索表示３０の表示レイアウトについて説明する。
【０１４４】
（検索表示）
先ず前提として、番組表示２０が表示部１０において表示されているものとする（番組表示状態）。ここで、ユーザが、操作ガイド表示部２３に表示されている情報に基づき、検索表示３０への切り替えを指示するボタン（赤ボタン）を押下するまでこの番組表示２０が表示されている（図５におけるＳ２１において「ＮＯ」）。
【０１４５】
ここで、本実施例では、検索表示３０への切り替えを指示するリモコン２００のボタンが、赤ボタンであるとする。この場合、番組表示２０における操作ガイド表示部２３では、上記赤ボタンでジャンル検索および日時検索が実行できる旨表示されている。
【０１４６】
なお、上記ジャンル検索とは、番組の種類（ジャンル）を検索条件として検索を行うものであり、上記日時検索とは、番組が放送される時間帯（放送時間帯）を検索条件として検索を行うものである。すなわち、本実施の形態に係るデジタル放送テレビ１００では、ジャンルと放送時間帯とそれぞれを検索条件として選択することができるようになっている。
【０１４７】
ユーザが操作ガイド表示部２３の表示に従い、リモコン２００の赤ボタンを押下すると（Ｓ２１において「ＹＥＳ」）、該リモコン２００からの操作信号がリモコン受光部７によって受信される。そして、この受信した操作信号をリモコン受光部７は、ＥＰＧ制御部８に送信する。
【０１４８】
ＥＰＧ制御部８では、現在の表示状態（番組表示状態）と、赤ボタンが押下されることにより送信された操作信号とに基づき、この操作信号が、検索表示３０への表示の切り替えを指示するものである旨を特定する。そして、ＥＰＧ制御部８は、表示制御部５に対して、番組表示２０を検索表示３０に切り替えるように指示する。
【０１４９】
表示制御部５は、ＥＰＧ制御部８からの指示に応じて、現在表示しているＥＰＧ表示モード（番組表示２０）から、検索表示３０に切り替えるために、該検索表示３０の画像信号を作成する。すなわち、上記表示制御部５は、画面レイアウト情報６１およびＥＰＧデータ６０に基づき、番組表示２０を検索表示３０に変更するための画像信号を生成する。
【０１５０】
そして、表示制御部５は、作成した画像信号をＥＰＧ画面出力部６に送信するとともに、現在表示している番組表示２０と切り替える旨指示する。
【０１５１】
ＥＰＧ画面出力部６は、表示制御部５からの指示に応じて、受信した検索表示３０用の画像信号に基づき、出力映像信号を生成して表示部１０に送信し、検索表示３０を表示するようにする。このようにして、表示部１０では、番組表示２０から検索表示３０に表示が切り替えられ（Ｓ２２）、表示部１０において検索表示が表示される（Ｓ２３）。
【０１５２】
ここで、表示制御部５によって表示制御される検索表示３０のレイアウトについて説明する。
【０１５３】
上記検索表示３０は、図１に示すように、ジャンル表示領域３１、日時表示領域３２、検索結果表示領域３３、および番組詳細表示領域３４を含んでいる。なお、この図１は、本実施の形態に係るデジタル放送テレビが備える表示部における検索表示の一例を示す図である。
【０１５４】
上記番組詳細表示領域３４は、上記番組表示２０における番組詳細表示領域２１と同様に番組に関する詳細情報を表示する。ただし、この番組詳細表示領域３４では、検索結果表示領域３３において選択された番組についての詳細情報が表示される点で、上記番組詳細表示領域２１とは異なる。
【０１５５】
上記ジャンル表示領域３１は、検索条件となる、番組のジャンルを示す情報を表示する領域であり、複数のジャンル名を示すアイコン（以下ジャンル識別子４３と称する）が配置されている。
【０１５６】
そして、リモコン２００をユーザが操作して選択表示を移動させることにより、上記ジャンル表示領域３１における、所望するジャンル識別子４３を、検索条件として選択することができる。
【０１５７】
このジャンル表示領域３１では、ジャンル識別子４３が、ｙ軸方向に各々配置され表示されるようになっている。一方、ユーザが所望するジャンル識別子４３を選択する場合、上カーソルキー２０３および下カーソルキー２０６の２つを操作することにより選択することができる。なお、選択されているジャンル識別子４３を示すために、選択されているジャンル識別子４３が選択表示されるようになっている。
【０１５８】
すなわち、上記下カーソルキー２０６を１回押下するたびに、選択されているジャンル識別子４３を示す選択表示が、ｙ軸方向（表示領域１０ａにおける下側方向）に隣接するジャンル識別子４３へと移動する。逆に、カーソルキー２０３を押下することによって、ｙ軸に沿って、下カーソルキー２０６を押下した場合とは反対方向（表示領域１０ａにける上側方向）へと、ジャンル識別子４３に対する選択表示が移動する。
【０１５９】
つまり、選択表示されるジャンル識別子４３の配置方向と、上、下カーソルキー２０３、２０６の配置方向は、ともにｙ軸に沿っている。そして、上記選択表示位置をｙ軸において表示領域１０ａの上側に移動させる場合は、上カーソルキー２０３を、また、ｙ軸において表示領域１０ａの下側に移動させる場合は、下カーソルキー２０６を押下する。
【０１６０】
このようにジャンル表示領域３１における選択表示位置の移動方向と、カーソルキーの配置方向とが一致するようになっている。このため、ユーザは、直感的に上、下カーソルキー２０３、２０６を操作して所望するジャンル識別子４３を容易に選択することができる。
【０１６１】
また、上記ジャンル識別子４３が、ｙ軸方向に配置される構成であるため、図１に示すように、各ジャンル識別子４３の、ｘ軸方向に対する表示領域を拡大することができる。このため、ジャンル識別子４３を図１に示すように文字によって表現することができる。
【０１６２】
例えば、このジャンル識別子４３が、絵または図形によって表現されたアイコンによって、日時識別子４４と同様の方向に配置されている構成と比較すると、このジャンル識別子４３を表示する範囲を、ｘ軸方向により大きく確保することができる。
【０１６３】
上記日時表示領域３２は、検索条件となる、番組の放送時間帯を示す情報を表示する領域であり、所定期間における複数の日時を示すアイコン（以下日時識別子４４と称する）が配置されている。
【０１６４】
本実施例では、日時表示領域３２に表示される日時識別子４４は、検索表示３０を表示している現在の日時を先頭に２日間分の日時識別子４４が表示されるようになっている。また、表示される各日時識別子４４は、１２時間単位（すなわち午前；午前０時〜午前１１時５９分５９秒、午後０時〜午後１１時５９分５９秒）であり、したがって、日時表示領域３２では、４つの日時識別子４４が表示されることとなる。
【０１６５】
なお、各日時識別子４４は、１２時間単位となっているが、これに限定されるものではなく、たとえば２４時間単位であってもよい。ただし、検索結果として得られる番組情報の数を考慮すると、本実施形態のように１２時間単位であるほうが好ましい。
【０１６６】
また、この日時識別子４４それぞれには、同じ時間の長さが割り当てられており、一定となっている。
【０１６７】
この日時識別子４４は、リモコン２００をユーザが操作してカーソルキーを押下することにより、検索条件として選択される。
【０１６８】
また、上記日時表示領域３２では、日時識別子４４が、ｘ軸方向に各々配置されている。そして、ユーザは、所望する放送日時に該当する日時識別子４４を、左カーソルキー２０４および右カーソルキー２０５の２つを操作して選択することができる。
【０１６９】
すなわち、上記右カーソルキー２０５を１回押下するたびに、選択されている日時識別子４４を示す選択表示が、ｘ軸方向（表示領域１０ａにおける右側方向）に隣接する日時識別子４４に移動する。逆に、カーソルキー２０４を押下することによって、カーソルキー２０４を押下した場合とは反対方向（表示領域１０ａにける左側方向）に上記選択表示された日時識別子４４が移動する。
【０１７０】
つまり、選択表示される日時識別子４４（選択された日時識別子４４）の配置方向と、左、右カーソルキー２０４、２０５の配置方向とは、ともにｘ軸（横軸）方向となっている。そして、上記選択表示位置を、ｘ軸において表示領域１０ａの右側から左側に移動させる場合、左カーソルキー２０４を、またｘ軸において表示領域１０ａの左側から右側に移動させる場合、右カーソルキー２０５を押下する。なお、１回の押下によって、左右の隣接する他の日時識別子４４のいずれかが選択表示される。
【０１７１】
したがって、日時表示領域３２における選択表示位置の移動方向と、カーソルキーの配置方向とが一致するようになっており、ユーザは直感的に右、左カーソルキー２０４、２０５を操作して所望する日時識別子４４を容易に選択することができる。
【０１７２】
さらには、この日時識別子４４の時間軸方向と、番組表示２０における番組プログラム表示部の時間軸方向とが一致している。すなわち、上記番組プログラム表示部２２では、各番組が放送される時間帯はｘ軸において表示領域１０ａの左側から右側に向かって、現在の時間帯を先頭に、今後の時間帯が、現在の時間帯に近い時間順に一時間毎示されている。
【０１７３】
一方、検索表示３０において、日時識別子４４は、ｘ軸方向に、現在の時間帯を含む日時識別子４４を先頭に、表示領域１０ａの左側から右側に向かって今後の時間帯を示す日時識別子４４が現在の時間帯に近い時間順で配置されている。
【０１７４】
このように、本実施の形態に係るデジタル放送テレビ１００では、番組プログラム表示部２２が含んでいる放送時間帯と同じ時間軸の方向となるように、検索表示３０において日時識別子４４を配置させることができる。このため、この日時識別子４４に対するユーザの視認性を向上させることができる。
【０１７５】
すなわち、本実施の形態に係るデジタル放送テレビ１００を視聴するユーザは、放送される番組を確認するために、上記番組表示２０を視聴する機会が多い。そこで、検索表示３０において、番組の放送時間帯と同様な範疇に類別できる日時識別子４４の配置の時間軸方向を、上記番組表示２０の放送時間帯の時間軸方向に一致させる。
【０１７６】
このように、同様な範疇に類別できる表示の時間軸を一致させることにより、番組表示２０より視聴の頻度が低い、検索表示３０における日時識別子４４に対しても、ユーザの認識度を向上させることができる。
【０１７７】
また、上記検索結果表示領域３３は、ジャンル表示領域３１において選択されたジャンル識別子４３と、日時表示領域３２において選択された日時識別子４４との２つの条件に合致する番組情報が表示される領域である。検索された結果は、図１に示すように、放送開始時間が現在の時間に近い順番で表示されるようになっている。
【０１７８】
ただし、番組表示２０から検索表示３０への切り替え時では、現時点での日時に最も近い日時の日時識別子４４と、先頭となるジャンル識別子４３（本実施例では映画を示すジャンル識別子４３）との条件に合致する番組情報が、検査結果表示領域に表示されるようになっている。
【０１７９】
以下において、上記した図１、および図８〜図１４を参照して、より具体的に検索表示３０の表示操作と表示状態との対応関係について説明する。なお、上記図８は、本実施の形態に係るデジタル放送テレビ１０の表示部１０における検索表示３０の一例を示す図である。
【０１８０】
先ず、番組表示２０から検索表示３０への切り替え指示を受信すると、図１に示すように、ジャンル表示領域３１として、ｙ軸方向にジャンル識別子４３がそれぞれ配置され、日時表示領域３２として、ｘ軸方向に日時識別子４４がそれぞれ配置される。そして、ジャンル表示領域３１と日時表示領域３２との余領域に検索結果表示領域３３が表示される。
【０１８１】
また、検索結果表示領域３３では、上記先頭のジャンル識別子４３と、日時識別子４４との検索条件を満たす番組のうち最も現在の時間に近い番組から順に表示されるようになっている。
【０１８２】
ここで、ユーザが、リモコン２００の下カーソルキー２０６を１回押下すると、図８に示すように、押下される前に選択表示されていたジャンル識別子の下側にあるジャンル識別子４３（「スポーツ」）に選択表示が移動する。このように、上記検索表示３０における選択表示の移動方向と、リモコン２００におけるカーソルキー２０６の配置方向（下向き）とが一致している。
【０１８３】
また、選択表示されるジャンル識別子４３が変化すると検索条件も変化するため、検索結果表示領域３３に表示される検索結果も変化する。具体的には、検索条件が、「今日午後」であり、かつ、「スポーツ」となる検索条件を満たす番組群を示す。本実施例の場合、この検索条件を満たす番組群は、図８に示すように「スポーツＡ」および「スポーツＢ」となる。
【０１８４】
すなわち、番組表示２０から検索表示３０に表示が切り替えられた状態（図１に示す表示状態）から、リモコン２００の下カーソルキー２０６をユーザが１回押下すると、操作信号が、デジタル放送テレビ１００本体に送信される。この操作信号をデジタル放送テレビ１００ではリモコン受光部７が受信し、ＥＰＧ制御部８に送信する。
【０１８５】
一方、ＥＰＧ制御部８では、上記操作信号を種類選択部５１ｂが受信し、この操作信号に基づき、ユーザからの指示内容を確認する。すなわち、種類選択部５１ｂは、現在選択されているジャンル識別子４３を、１つ下の隣接する他のジャンル識別子４３に変更させる旨を指示する内容であると確認する。そして、現在のジャンル識別子４３から１つ下の隣接する他のジャンル識別子４３を、管理情報６２を参照して特定する。そして、この種類選択部５１ｂは、特定したジャンル識別子４３の情報を検索部５２に送信する。
【０１８６】
なお、本実施例では、番組表示２０から検索表示３０への切り替え時では、上記したように「映画」を示すジャンル識別子４３が選択されるように設定されている。このため、カーソルキー２０６の押下後では、そのジャンル識別子４３の下に配される「スポーツ」を示すジャンル識別子４３が選択されることとなる。
【０１８７】
検索部５２は、種類選択部５１ｂから、上記特定したジャンル識別子４３（「スポーツ」）の情報を受信すると、このジャンル識別子４３と、現在選択されている日時識別子４４とに基づき、これら識別子によって規定される検索条件に合致する番組情報を、ＥＰＧデータ６０を参照して検索する。
【０１８８】
本実施例では、番組表示２０から検索表示３０への切り替え時における日時識別子４４は、上記したように現在の日時（「今日午後」）を示すジャンル識別子４３が選択されるように設定されている。このため、検索部５２は、ジャンル識別子４３−「スポーツ」と日時識別子４４−「今日午後」との条件に合致する番組情報を、ＥＰＧデータ６０を参照して検索する。
【０１８９】
そして、検索部５２は、この検索結果と、変更後の選択されたジャンル識別子４３を示す情報とをＥＰＧ画面作成部に送信する。このＥＰＧ画面作成部では、検索部５２から受信したこの検索結果とジャンル識別子４３との情報に基づき、新たな画像信号を生成する。
【０１９０】
そして、ＥＰＧ画面作成部５７は、この生成した画像信号をＥＰＧ画面出力部６に送信するとともに、この出力映像信号を表示部１０に送信するようにＥＰＧ画面出力部６に指示する。また、ＥＰＧ画面作成部５７は、変更後の画像信号に関する情報を画面レイアウト情報６１に記憶する。
【０１９１】
すなわち、ユーザがリモコン２００を操作することによって変更された、選択されているジャンル識別子４３の情報と、選択される識別子が変更されることにより変更された検索結果を記録する。
【０１９２】
このように、本実施の形態に係るデジタル放送テレビ１００は、リモコン２００のカーソルキーを操作するだけで、検索条件の１つである、番組が属するジャンルを変更させることができる。また、このようにジャンルを変更させるだけで、検索結果表示領域３３に表示される番組情報の検索結果も変更させることができる。
【０１９３】
なお、上記では、ジャンル表示領域３１におけるジャンル識別子４３の選択を変更させる場合について説明した。しかしながら、図９に示すように、上記デジタル放送テレビ１００では、日時表示領域３２における日時識別子４４の選択も同様にして変更させ、変更後の日時識別子４４に対応する検索結果を検索結果表示領域３３に表示させることができる。
【０１９４】
すなわち、図９に示す実施例の場合では、ユーザは、リモコン２００の右カーソルキーを１回押下する。このように右カーソルキー２０５を押下することによって、選択表示を現在選択されている日時識別子４４の右側に配置している他の日時識別子４４に移動させるように指示する操作信号が送信される。
【０１９５】
そして、このリモコン２００からの操作信号を、リモコン受光部７を介して時間選択部５１ａが受信すると、該選択部５１ａは、現在選択されている日時識別子４４を、右に隣接する他の日時識別子４４に変更させる旨を指示する内容であると確認する。これ以降の説明は、上記した下カーソルキー２０６を押下した場合の処理と同様であるため、省略する。
【０１９６】
また、図９に示す検索表示３０の状態から、ユーザがさらに２回、右カーソルキー２０５を押下して、日時表示領域３２における選択表示を図１０に示すように、４日午後の日時識別子４４の位置に移動させたとする。
【０１９７】
この場合も上記した右カーソルキー２０５を１回押下した場合と同様に、時間選択部５１ａが、選択表示を現在選択されている日時識別子４４から、右側に２つすすんだ他の日時識別子４４に変更させる旨を指示する内容であると確認する。そして、この確認した結果を検索部５２に送信する。
【０１９８】
そして、この検索部５２は、時間選択部５１ａからの情報に応じて、日時識別子４４−「４日午後」と、ジャンル識別子４３−「映画」との条件に合致する番組情報を検索する。
【０１９９】
ここで、４日午後かつ映画に該当する番組がない場合、検索結果として該当する番組情報がない旨、ＥＰＧ画面作成部５７に通知する。この通知を受信すると、このＥＰＧ画面作成部５７は、該当する番組がない旨を伝達する表示（文字表示）を表示部１０における検索結果表示領域３３に表示させるように、ＥＰＧ画面出力部６を制御する。そして、このようにして、図１０に示すような検索表示３０を実現する。なお、図１０は、本実施の形態に係るデジタル放送テレビが備える表示部における検索表示３０の一例を示す図である。
【０２００】
なお、以上のように、上カーソルキー２０３および下カーソルキー２０６によって、ジャンル識別子４３を選択できる状態、あるいは、右カーソルキー２０５および左カーソルキー２０４によって日時識別子４４を選択できる状態を検索可能状態と称する。
【０２０１】
また、次に図１１を参照して、検索結果表示領域３３に表示された検索結果を、該検索結果表示領域３３に全て表示しきれない場合について説明する。
【０２０２】
すなわち、本実施の形態に係るデジタル放送テレビ１００では、図１１（ａ）に示すように検索結果として、５つの番組情報を表示させることができるようになっている。そこで、例えば図１１（ａ）に示すようにジャンル識別子４３−「映画」と、日時識別子４４−「今日午後」との検索条件に合致する映画情報が７つ（映画Ａ〜映画Ｇ）あったとする。
【０２０３】
この場合、上記デジタル放送テレビ１００では、検索結果表示領域３３において検索結果として５つの番組情報しか表示できないため、図１１（ａ）に示すように現在の時間に最も近い番組情報から順に５つだけが表示されることとなる。
【０２０４】
そこで、本実施の形態に係るデジタル放送テレビ１００では、リモコン２００が有する黄キー２１２をユーザが押下することによって、図１１（ｂ）に示すように、非表示となっている残りの２つの番組情報を含む他の表示に、表示を切り替えることができるようになっている。
【０２０５】
具体的には、図１１（ａ）に示すように、「映画」かつ「今日午後」の検索条件に合致した番組情報が検索結果表示領域３３に表示されている状態にあるとする。このような表示状態において、ユーザが、リモコン２００が有する黄キー２１２を押下すると、この黄キー２１２からの操作信号を、リモコン受光部７を介して、ＥＰＧ制御部８の切替指示部５３が受信する。
【０２０６】
そして、切替指示部５３は、表示制御部５が有する範囲切替部５５に、検索結果表示領域３３に表示されている番組情報の表示を、非表示となっている番組情報の表示に切り替えるように指示する。この切替指示部５３から上記指示を受信すると、範囲切替部５５は、非表示であった番組情報の表示を含む他の表示に切り替えるようにＥＰＧ画面出力部６を制御する。このようにして、図１１（ｂ）に示すように、上記非表示であった番組情報を含む表示に切り替えることができる。
【０２０７】
なお、検索結果の数が１０より大きい場合、すなわち、３つの表示に分割して検索結果が表示される場合は、黄キー２１２を１回押下すると、２番目の表示、さらに黄キー２１２を押下すると３番目の表示というように表示が切り換わるようになっている。逆に、切り換わった表示を切り換わる前の表示に戻す場合、緑キー２１１を押下するように構成されている。
【０２０８】
このように、黄キー２１２または緑キー２１１を押下することによって、検索結果表示領域３３に表示される複数の番組情報（本実施の形態では最大５つ）ごとに、表示を切り替えることができるため、ユーザは検索結果の番組情報を素早く確認することができる。
【０２０９】
特に、以下に示す構成と比べて本実施の形態に係るデジタル放送テレビ１００は、検索表示３０における操作性の向上を図ることができる。
【０２１０】
すなわち、下カーソルキー２０６などを押下するたびに、検索結果表示領域３３における番組情報の選択表示を１つ１つ移動させ、現在表示されている最後の番組情報まで移動させる。そして、この状態からさらに、下カーソルキー２０６を押下することにより、非表示となっている番組情報を表示させることができる構成と比べて、リモコン２００の操作ボタンを押下する回数を格段と省略することができる。
【０２１１】
次に、検索表示３０において、検索結果表示領域３３に表示された検索結果の中から特定の番組情報を選択する処理について図１２（ａ）および図１２（ｂ）を参照して説明する。なお、この図１２は、本実施の形態に係るデジタル放送テレビ１００の表示部１０において表示される検索表示３０の一例を示すものであり、同図（ａ）は、選択可能状態の一例を示し、同図（ｂ）は、選択可能状態において選択する検索結果の番組情報を変更した状態の一例を示す図である。
【０２１２】
番組表示２０から検索表示３０に表示を切り替え、検索対象とする番組のジャンルを「映画」、この番組の放送日時を「今日の午後」の時間帯として検索するものとする。この場合、図１に示すように、ジャンル表示領域３１における選択表示は、「映画」を示すジャンル識別子４３の位置に、また日時表示領域３２における選択表示は、「今日午後」を示すジャンル識別子４３の位置に配置される。
【０２１３】
このように、所望する検索条件に応じて、ジャンル表示領域３１および日時表示領域３２における適切な識別子に選択表示を配置した状態で、ユーザは、リモコン２００が有する決定キー２０７を押下する。ユーザによって決定キー２０７が押下されると、リモコン２００からこの操作信号報が、デジタル放送テレビ１００に送信される。なお、この決定キー２０７が押下され、検索条件としてジャンル識別子４３および日時識別子４４が決定された状態を、検索結果選択可能状態と称する。
【０２１４】
デジタル放送テレビ１００では、リモコン２００の決定キー２０７からの操作信号を、ＥＰＧ制御部８の特定部５４が、リモコン受光部７を介して受信する。特定部５４は、上記操作信号を受信すると、表示制御部５に対して、検索結果の番組情報の中から選択された番組情報の詳細情報を、番組詳細表示領域３４に表示するように指示する。
【０２１５】
表示制御部５では、詳細表示部５６が特定部５４からの指示を受信し、この受信した指示に基づき、ＥＰＧ画面出力部６を制御して、検索結果表示領域３３において選択されている番組情報の詳細を、番組詳細表示領域３４に表示させる。
【０２１６】
このように、特定部５４により特定された番組に関する詳細情報を、詳細表示領域３４に表示させることができるため、検索結果表示領域３３において表示する各番組については、簡単な情報を表示させるにとどめることができる。
【０２１７】
すなわち、デジタル放送テレビ１００は、検索結果表示領域３３において表示する情報量を低減させることができる。
【０２１８】
したがって、本実施の形態に係るデジタル放送テレビ１００は、限られた表示領域を有効に活用することができる。また、検索結果表示領域３３において表示する情報量を低減させることができるため、検索結果表示領域３３に対するユーザの視認性を向上させることができる。
【０２１９】
なお、決定キー２０７を押下した時点では、検索結果表示領域３３において先頭に表示されている番組情報の詳細表示が表示されるように設定されている。また、詳細表示されている番組情報には、選択表示が表示されるように構成されている。
【０２２０】
そして、この検索結果選択可能状態において、ユーザがリモコン２００の下カーソルキー２０６を１回押下すると、図１２（ｂ）に示すように、検索結果表示領域３３において選択表示が、番組情報（図１２における「映画Ａ」）から、この番組情報の下側に配置される他の番組情報（図１２における「映画Ｂ」）に移動する。
【０２２１】
すなわち、検索結果選択可能状態において、ユーザがリモコン２００の下カーソルキー２０６を１回押下すると、この下カーソルキー２０６からの操作信号を、リモコン受光部７を介して特定部５４が受信する。特定部５４は、この操作信号を受信すると、表示制御部５に対して、現在選択表示されている番組情報の下側に配置された番組情報を選択するように指示する。
【０２２２】
この特定部５４からの指示を受信すると、表示制御部５では、詳細表示部５６が、現在選択表示されている番組情報の下側に配置された他の番組情報に選択表示を移動させるようにＥＰＧ画面出力部６に指示する。さらに、詳細表示部５６は、この移動後の選択表示が位置する番組情報を番組詳細表示領域３４に表示するように指示する。また、この詳細表示部５６は、下カーソルキー２０６からの操作信号に応じて、選択表示が移動した番組情報について示す情報を管理情報６２に記録する。
【０２２３】
このようにして、本実施の形態に係るデジタル放送テレビ１００は、検索結果選択可能状態において、検索結果表示領域３３に表示されている番組情報の選択を行うことができる。また、検索結果選択可能状態において、ユーザが上カーソルキー２０６を押下すると、上記した処理と同様にして、現在選択されている番組情報の上に配置されている他の番組情報を選択することもできる。
【０２２４】
また、検索結果表示領域３３における番組情報のいずれかを選択表示している状態で、ユーザがリモコン６００の決定キー２０７を押下すると、選択表示されている番組情報の番組が選択されることとなる。
【０２２５】
すなわち、検索結果選択可能状態において、上記決定キー２０７が押下されると、この決定キー２０７からの操作信号を、特定部５４が、リモコン受光部７を介して受信する。そして、この受信した操作信号に基づき、現在選択表示されている番組情報を、管理情報６２を参照して特定する。そして、この特定された番組情報の録画予約を行う場合は、不図示の録画予約手段に特定した番組情報を通知する。
【０２２６】
また、本実施の形態に係るデジタル放送テレビ１００では、検索結果選択可能状態において、リモコン２００の戻るキー２１３を押下すると、検索可能状態に戻ることができるようになっている。すなわと、リモコン２００の戻るキー２１３の操作信号を、リモコン受光部７を介して、不図示の状態切り替え手段が受信する。そして、この状態切り替え手段は、ＥＰＧ画面作成部５７に対して、検索可能状態の表示に変更するように指示する。そして、ＥＰＧ画面作成部５７は、表示部１０における表示を検索可能状態の表示に変更するための画像信号を生成し、生成した画像信号をＥＰＧ画面出力部６に送信する。この画像信号に基づき、ＥＰＧ画面出力部６は、検索可能状態の表示に変更させる。
【０２２７】
また、上記デジタル放送テレビ１００では、検索結果選択可能状態において、検索結果の番組情報の数が多いために、検索結果表示領域３３に、全ての番組情報を表示しきれない場合がある。このような場合、ユーザが黄キー２１２を押下すると、図１３に示すように、非表示だった番組情報を含む別の表示に、検索結果表示領域３３の表示を切り替えることができる。
【０２２８】
すなわち、検索結果選択可能状態において、ユーザが黄キー２１２を押下すると、この黄キー２１２からの操作信号を、リモコン受光部７を介して切替指示部５３が受信する。この切替指示部５３は、この操作信号を受信すると、表示制御部５の範囲切替部５５に対して、検索結果表示領域３３において現在表示されている番組情報の続きとなる、非表示の番組情報を含む別の表示に切り替えるように指示する。
【０２２９】
なお、この非表示となっている番組情報を含む別の表示に切り替えた後、再度、最初に表示されていた番組情報の表示に戻す場合は、緑キー２１１をユーザが押下するようになっている。
【０２３０】
また、上記では、黄キー２１２および緑キー２１１によって、検索結果表示領域３３における番組情報の表示を切り替えることができるようになっているが、青キー２０９および赤キー２１０によってこの切り替えを行うことができる構成であってもよい。
【０２３１】
また、上記デジタル放送テレビは、上カーソルキー２０３および下カーソルキー２０６を用いて、検索結果表示領域３３において表示されている番組情報を１つずつ順番に移動させる構成とすることもできる。
【０２３２】
このような構成の場合、非表示である番組情報を表示させるときは、現在表示中である番組情報のうち最後（表示領域１０ａにおいて一番下側）に配置された番組情報を選択している状態で、さらに下カーソルキー２０６を押下することにより、非表示となっている番組情報をスクロールすることができる。
【０２３３】
また、上記デジタル放送テレビ１００では、図１４に示すように、検索結果選択可能状態において、左カーソルキー２０４および右カーソルキー２０５を操作して、選択される日時識別子４４を変更可能とする構成としてもよい。
【０２３４】
すなわち、検索結果選択可能状態において、選択される番組情報はｙ軸方向に配置され、この方向に応じた上カーソルキー２０３および下カーソルキー２０６を操作することにより選択対象となる番組情報を変更させていた。
【０２３５】
ところが、本実施の形態に係るデジタル放送テレビ１００では、日時識別子４４が配置される方向がｘ軸方向であり、選択対象となる日時識別子４４は、左カーソルキー２０４および右カーソルキー２０５を操作して選択することができる。すなわち、番組情報の選択と日時識別子４４の選択とにおいて、利用するカーソルキーの種類を異ならせることができるため、検索結果選択可能状態において、日時識別子４４を選択可能とする構成であっても選択対象を混同させることがない。
【０２３６】
また、本実施の形態に係るデジタル放送テレビ１００では、画面レイアウト情報６１およびＥＰＧデータ６０がそれぞれ物理的に別々の記憶媒体に記憶される構成であったが、これに限定されるものではなく、物理的に同一の記憶媒体に記憶されている構成であってもよい。この場合、この記憶媒体では、ＥＰＧデータ６０を格納する領域および、画面レイアウト情報６１を格納する領域を区別して割り当てている。
【０２３７】
また、本実施の形態に係るデジタル放送テレビ１００への操作指示または情報などの入力は、リモコン２００によって行うように構成されていた。しかしながら、これら情報をこのデジタル放送テレビ１００自体に設けられた入力用の操作ボタンなどによっても行うことができるように構成されていてもよい。
【０２３８】
この場合は、本実施の形態に係るデジタル放送テレビ１００は、図２に示す構成に加え、上記操作ボタンからの入力を受ける入力受信部（不図示）をさらに備え、この入力受信部は、受付けた情報をＥＰＧ制御部８に送信するように構成される。
【０２３９】
また、本実施の形態に係るデジタル放送テレビ１００における表示部１０では、番組表示２０における上記番組詳細表示部２１が詳細情報として、さらに以下の情報を含んでいてもよい。すなわち、上記番組詳細表示部２１では、選択されている番組のデジタルコピーの可否を示す情報、あるいはコピーの許可回数を示す情報を含むように構成されていてもよい。また、詳細情報として、選択された番組が視聴予約あるいは録画予約されているか否かを示す情報を含んでいてもよい。さらにまた、選択された番組が有料放送（ＰＰＣ（ペイパーチャンネル））であるか否かを示す情報なども含んでいてもよい。
【０２４０】
また、本実施の形態に係るデジタル放送テレビ１００では、表示制御部５が、選択されている番組名を表示する領域を、それ以外の領域とは、番組名を示す文字部分を囲む背景部分の色を異なる形態にして表示させるように選択表示の制御を行っていた。しかしながら、選択表示の表示形式はこれに限定されるものではない。
【０２４１】
すなわち、表示制御部５は、選択されている番組名を表示する領域の文字部分の色のみを他の領域の文字部分と異ならせるように制御してもよいし、文字部分の輝度と背景部分の輝度との間の高低関係が異なるように表示するよう制御してもよい。
【０２４２】
さらには、上記表示制御部５は、選択された番組名を示す領域を囲む線分の太さを、他領域の線分の太さと異ならせて表示するように制御してもよい。
【０２４３】
また、本実施の形態に係るデジタル放送テレビ１００が備える表示部１０に表示される検索表示３０では、表示される上記日時識別子４４の数が４つであったが、表示される日時識別子４４の数はこれに限定されるものではない。表示領域１０ａの大きさと、表示させる日時識別子４４の文字サイズ、デジタル放送テレビ１００が取得しているＥＰＧデータ６０の範囲に応じて決定されることが好ましい。
【０２４４】
また、本実施の形態に係るリモコン２００が備える青、赤、緑、および黄キー２０９〜２１２それぞれの操作信号に割り当てられた操作指示の内容は、上記した例に限定されるものではなく、上記デジタル放送テレビの設計者がそれぞれのキーに適切に割り当てる操作指示内容を決めることができる。
【０２４５】
また、本実施の形態に係るデジタル放送テレビ１００では、検索結果表示領域３３において表示しきれなかった番組情報がある場合、現在表示されている番組情報と、非表示となっている番組情報とを切り替えて表示させるように構成されていた。そこで、上記デジタル放送テレビ１００は、非表示となっている番組情報の有無を示す表示領域をさらに備えていても良い。すなわち、この表示領域では、例えば検索結果として得られた番組情報を表示するページ数（切り替えページ）が複数枚にわたるとき、このページ数を示す表示が行われる。つまり、この表示領域に例えば「３」と示されている場合、検索結果の番組情報が、３つの表示に分割されそれぞれが切り替え可能であることを示す。
【０２４６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２４７】
なお、上記実施形態のデジタル放送テレビ１００の各部、特に、ＥＰＧ制御部８が有する各部および表示制御部５が有する各部と、各処理ステップとは、ＣＰＵなどの演算手段が、ＲＯＭ（Read Only Memory）やＲＡＭなどの記憶手段に記憶されたプログラムを実行する。そして、キーボードなどの入力手段、ディスプレイなどの出力手段、あるいは、インターフェース回路などの通信手段を制御することにより実現することができる。
【０２４８】
したがって、これらの手段を有するコンピュータが、上記プログラムを記録した記録媒体を読取り、当該プログラムを実行するだけで、本実施形態のデジタル放送テレビの各種機能および各種処理を実現することができる。また、上記プログラムをリムーバブルな記録媒体に記録することにより、任意のコンピュータ上で上記の各種機能および各種処理を実現することができる。
【０２４９】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０２５０】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０２５１】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０２５２】
また、インターネットを含む通信ネットワークを接続可能なシステム構成であれば、通信ネットワークからプログラムをダウンロードするように流動的にプログラムを担持する記録媒体であることが好ましい。
【０２５３】
さらに、このように通信ネットワークからプログラムをダウンロードする場合には、そのダウンロード用のプログラムは予め本体装置に格納しておくか、あるいは別な記録媒体からインストールされるものであることが好ましい。
【０２５４】
なお、上記した実施の形態では、表示部１０と一体となったデジタル放送テレビ１００の例について示したが、表示部１０と、チューナ部２、マルチプレクサ部３、ＥＰＧデータ記憶部４、表示制御部５、ＥＰＧ画面出力部６、リモコン受光部７、ＥＰＧ制御部８、画面レイアウト情報記憶部９、映像・音声デコード部１１、および音声出力部１２とをそれぞれ別体として構成し、デジタル放送テレビシステムとしてもよい。
【０２５５】
この場合、特許請求項に示す情報処理装置は、チューナ部２、マルチプレクサ部３、ＥＰＧデータ記憶部４、表示制御部５、ＥＰＧ画面出力部６、リモコン受光部７、ＥＰＧ制御部８、画面レイアウト情報記憶部９、映像・音声デコード部１１、および音声出力部１２によって実現される。また、特許請求項に示す表示装置は、上記表示部１０によって実現される。
【０２５６】
さらにはまた、表示部１０と、チューナ部２、マルチプレクサ部３、映像・音声デコード部１１、および音声出力部１２と、ＥＰＧデータ記憶部４、表示制御部５、ＥＰＧ画面出力部６、リモコン受光部７、ＥＰＧ制御部８、および画面レイアウト情報記憶部９とをそれぞれ別体として構成し、デジタル放送テレビシステムとしてもよい。
【０２５７】
この場合、特許請求項に示す情報処理装置は、ＥＰＧデータ記憶部４、表示制御部５、ＥＰＧ画面出力部６、リモコン受光部７、ＥＰＧ制御部８、および画面レイアウト情報記憶部９によって実現される。
【産業上の利用可能性】
【０２５８】
本発明は、電子番組表情報に基づいて複数の番組に関する情報を表示する情報処理装置、例えば、デジタル放送波を受信し、受信したデジタル放送波に含まれるＥＰＧデータに基づいてデジタル放送の電子番組表を表示するデジタル放送受信機能付きテレビなどにおいて、ユーザの利便性を向上させるために利用できる。
【図面の簡単な説明】
【０２５９】
【図１】本実施の形態に係るデジタル放送テレビが備える表示部における、検索表示の一例を示す図である。
【図２】本発明の実施形態を示すものであり、デジタル放送テレビの要部構成を示すブロック図である。
【図３】本発明の実施形態を示すものであり、リモコンの概略構成を示す図である。
【図４】本発明の実施形態を示すものであり、検索表示における表示処理に係るＥＰＧ制御部および表示制御部の概略構成を示すブロック図である。
【図５】本実施の形態に係るデジタル放送テレビが備える表示部における、番組表示の一例を示す図である。
【図６】本実施の形態に係るデジタル放送テレビにおける、番組表示の表示処理を説明するフローチャートである。
【図７】本実施の形態に係るデジタル放送テレビにおける、番組表示から検索表示への切り替え処理を説明するフローチャートである。
【図８】本実施の形態に係るデジタル放送テレビが備える表示部における、検索表示の一例を示す図である。
【図９】本実施の形態に係るデジタル放送テレビが備える表示部における、検索表示の一例を示す図である。
【図１０】本実施の形態に係るデジタル放送テレビが備える表示部における、検索表示の一例を示す図である。
【図１１】本実施の形態に係るデジタル放送テレビが備える表示部における表示例を示すものであり、同図（ａ）および同図（ｂ）は、検索表示の一例を示す図である。
【図１２】本実施の形態に係るデジタル放送テレビが備える表示部における表示例を示すものであり、同図（ａ）および同図（ｂ）は、検索表示の一例を示す図である。
【図１３】本実施の形態に係るデジタル放送テレビが備える表示部における、検索表示の一例を示す図である。
【図１４】本実施の形態に係るデジタル放送テレビが備える表示部における、検索表示の一例を示す図である。
【符号の説明】
【０２６０】
５      表示制御部（表示制御手段）
８      ＥＰＧ制御部（選択手段・検索手段・番組選択手段）
１０    表示部
１０ａ  表示領域
２０    番組表示
３０    検索表示
３４    番組詳細表示領域
４３    ジャンル識別子（種類選択画像）
４４    日時識別子（時間選択画像）
５１ａ  時間選択部（時間選択手段）
５１ｂ  種類選択部（種類選択手段）
５２    検索部（検索手段）
５３    切替指示部
５４    特定部（番組選択手段）
５５    範囲切替部（切替手段）
５６    詳細表示部（詳細表示手段）
５７    ＥＰＧ画面作成部
６０    ＥＰＧデータ（電子番組表情報）
１００  デジタル放送テレビ（電子番組表示装置）
２００  リモコン（入力装置）
２０３  上カーソルキー（第１操作部）
２０４  左カーソルキー（第２操作部）
２０５  右カーソルキー（第２操作部）
２０６  下カーソルキー（第１操作部）
【図１】
2006217429.tif 000003
【図２】
2006217429.tif 000004
【図３】
2006217429.tif 000005
【図４】
2006217429.tif 000006
【図５】
2006217429.tif 000007
【図６】
2006217429.tif 000008
【図７】
2006217429.tif 000009
【図８】
2006217429.tif 000010
【図９】
2006217429.tif 000011
【図１０】
2006217429.tif 000012
【図１１】
2006217429.tif 000013
【図１２】
2006217429.tif 000014
【図１３】
2006217429.tif 000015
【図１４】
2006217429.tif 000016